(57)【要約】【課題】案内板のたわみを防止してシート材の搬送不良を防止できるシート材搬送装置、画像読取装置及び画像形成装置を得ることである。【解決手段】搬送装置本体７０ａと、搬送装置本体７０ａに対して開閉自在なカバー体７０ｂと、シート材を搬送方向下流側に搬送するピックアップローラ（シート材搬送手段）６、７を備え、ピックアップローラシート６、７はカバー体に設けた従動ローラ（一方のローラ）７と、搬送装置本体７０ａ側に設けた駆動ローラ（他方のローラ）６と、従動ローラ７を駆動ローラ６に向けて加圧する加圧手段６０と、加圧手段６０を固定した支持ブラケット（支持手段）６４とを備え、カバー体７０ｂはシート材を案内する案内板５２と、外装板５１とを備え、支持ブラケット６４は案内板５２に取り付けられており、外装板５１と案内板５２との間には案内板５２のたわみを防止するたわみ防止手段を設けた。【選択図】図１
2007308249.tif 000002
【特許請求の範囲】
【請求項１】
搬送装置本体と、搬送装置本体に対して開閉自在なカバー体と、シート材を搬送方向下流側に搬送するシート材搬送手段とを備え、シート材搬送手段はカバー体に設けた一方のローラと、搬送装置本体側に設けた他方のローラと、一方のローラを他方のローラに向けて加圧する加圧手段と、加圧手段を固定した支持手段とを備え、カバー体はシート材を案内する案内板と、外装板とを備え、支持手段は案内板に取り付けられており、外装板と案内板との間には案内板のたわみを防止するたわみ防止手段が設けられていることを特徴とするシート材搬送装置。
【請求項２】
たわみ防止手段は外装板から案内板に向けて突設した第１突設部材を備え、第１突設部材の下端部が案内板に当接していることを特徴とする請求項１に記載のシート材搬送装置。
【請求項３】
第１突設部材はシート材幅方向に配置した一方のローラを挟んだ位置に設けていることを特徴とする請求項２に記載のシート材搬送装置。
【請求項４】
案内板には外装板に向けて突設した第２突設部材を備え、第２突起部材は案内板のシート材幅方向に沿って設けられていることを特徴とする請求項２又は３に記載のシート材搬送装置。
【請求項５】
請求項１〜４の何れか一項に記載のシート材搬送装置と、シート材の読取位置まで搬送されたシート材の画像を読み取る画像読取部とを備えていることを特徴とする画像読取装置。
【請求項６】
請求項５に記載の画像読取装置と、転写材を収納した給紙部と、像担持体表面にトナー像を形成する画像形成部と、転写材に転写されたトナー像を定着させる定着部とを備えたことを特徴とする画像形成装置。
【発明の詳細な説明】
【技術分野】
【０００１】
本発明は、シート材搬送装置、画像読取装置及び画像形成装置に関する。
【背景技術】
【０００２】
図７に示すように自動原稿搬送装置（シート材搬送装置）１００は、原稿（シート材）の束をセットする原稿セット部１０１と、セットされた原稿束から１枚毎に原稿を分離して給送する分離部１０３と、分離部１０３で１枚にさばかれた原稿を分離部１０３から引き抜くと同時に搬送方向下流の原稿読取位置に搬送するプルアウトローラ（搬送手段）１０４と、原稿の画像を読取ガラスの下方より読取る原稿読取部１０５と、読み取り完了後の原稿を積載保持する排紙部１０７とを備えている。
【０００３】
自動原稿搬送装置１００は、搬送装置本体１０９と、搬送装置本体１０９に対して開閉自在なカバー体１１１とを備え、カバー体１１１には原稿の案内板１１３と搬送装置の外装である外装板１１５とを備え、プルアウトローラ１０４の一方のローラ１１７をカバー体１１１に設け、他方のローラ１１９を搬送装置本体１０９に設けている。また、プルアウトローラ１０４には分離部１０３の搬送抵抗以上の強い搬送力が必要となることから、カバー体１１１の案内板１１３には、一方のローラ１１７を他方のローラ１１９に向けて加圧するための加圧手段１２１を設けている。
【０００４】
しかし、図６に示すように他方のローラ１１９の反力によって加圧手段１２１が取り付けられた案内板１１３がたわんで、搬送不良を生じるおそれがあった。
【０００５】
一方、特許文献１には、カバー体の外装板に搬送経路に沿って複数の突起部材を設けた技術が開示されている。
【０００６】
【特許文献１】特開平１０―２４５１３６号公報
【発明の開示】
【発明が解決しようとする課題】
【０００７】
しかし、特許文献１に記載の従来技術は、外装板のそれぞれの突起部材の長さを変えて、シート材の搬送通路の通路幅（ギャップ）を均一にするものであり、シート材の案内板のたわみを防止するものではない。
【０００８】
本発明は、案内板のたわみを防止してシート材の搬送不良を防止できるシート材搬送装置、画像読取装置及び画像形成装置を得ることを目的とする。
【課題を解決するための手段】
【０００９】
前記課題を解決するために、請求項１に記載された発明は、搬送装置本体と、搬送装置本体に対して開閉自在なカバー体と、シート材を搬送方向下流側に搬送するシート材搬送手段とを備え、シート材搬送手段はカバー体に設けた一方のローラと、搬送装置本体側に設けた他方のローラと、一方のローラを他方のローラに向けて加圧する加圧手段と、加圧手段を固定した支持手段とを備え、カバー体はシート材を案内する案内板と、外装板とを備え、支持手段は案内板に取り付けられており、外装板と案内板との間には案内板のたわみを防止するたわみ防止手段が設けられていることを特徴とする。
【００１０】
請求項２に記載された発明は、請求項１に記載の発明において、たわみ防止手段は外装板から案内板に向けて突設した第１突設部材を備え、第１突設部材の下端部が案内板に当接していることを特徴とする。
【００１１】
請求項３に記載された発明は、請求項２に記載の発明において、第１突設部材はシート材幅方向に配置した一方のローラを挟んだ位置に設けていることを特徴とする。
【００１２】
請求項４に記載された発明は、請求項２又は３に記載の発明において、案内板には外装板に向けて突設した第２突設部材を備え、第２突起部材は案内板のシート材幅方向に沿って設けられていることを特徴とする。
【００１３】
請求項５に記載された発明は、請求項１〜４の何れか一項に記載のシート材搬送装置と、シート材の読取位置まで搬送されたシート材の画像を読み取る画像読取部とを備えていることを特徴とする。
【００１４】
請求項６に記載された発明は、請求項５に記載の画像読取装置と、転写材を収納した給紙部と、像担持体表面にトナー像を形成する画像形成部と、転写材に転写されたトナー像を定着させる定着部とを備えたことを特徴とする。
【発明の効果】
【００１５】
本発明によれば、カバー体の外装板と案内板との間に案内板のたわみを防止するたわみ防止手段を備えているので、他方のローラに対する加圧力の反力を一方のローラが受けても支持手段が取り付けられた案内板のたわみを防止でき、シート材の搬送不良の発生を防止できる。
【発明を実施するための最良の形態】
【００１６】
以下に、添付図面を参照して、本発明の実施の形態を詳細に説明する。まず、図１〜図５を用いて本実施の形態について説明する。尚、図１は図４に示す自動原稿搬送装置のプルアウトローラ対周辺の縦断面図、図２は図４に示す自動原稿搬送装置のリバースコロ周辺を示す横断面図、図３は本実施の形態に係る自動原稿搬送装置のカバー体を開いて示す全体概略図、図４は本実施の形態に係る自動原稿搬送装置のカバー体を閉じて示す全体概略図、図５は自動原稿搬送装置を搭載した画像形成装置の全体概略図である。
【００１７】
複写機、プリンタ、ＦＡＸ等の画像形成装置に搭載される自動原稿搬送装置（シート材搬送装置）７０は、搬送装置本体７０ａと搬送装置本体７０ａに対して開閉自在なカバー体７０ｂとを備えている。自動原稿搬送装置７０は、原稿束Ｐをセットする原稿セット部Ａと、セットされた原稿束Ｐから１枚毎に原稿（シート材）を分離して給送する分離給送部Ｂと、給送された原稿を一次突き当て整合する働きと整合後の原稿を引き出し搬送する働きのレジスト部Ｃと、搬送される原稿をターンさせて、原稿面を読取側（下方）に向けて搬送するターン部Ｄと、原稿の画像を読取ガラス４１の下方より読取る読取搬送部Ｅと、読み取り完了後の原稿を積載保持するスタック部（排紙部）Ｆと、原稿の第２面（裏面）を読取る為の反転スイッチバック又は原稿の機外排出を行う反転排紙部（スイッチバック部）Ｇを備えている。
【００１８】
原稿セット部Ａは、原稿束Ｐが載置される原稿セットテーブル１と、原稿セットテーブル１に載置された原稿先端が突き当てられる原稿ストッパ２と、原稿セットテーブル１に原稿が載置されたことを検知する原稿セットフィラー３１と、原稿セットテーブル１に載置された原稿のサイズを検知する原稿長さ検知センサ２０〜２２、原稿セットセンサ１９とを有している。
【００１９】
分離給送部Ｂは、原稿束Ｐの原稿を呼び出すピックアップローラ３と、呼び出された原稿を搬送路に向けて１枚ずつ分離して搬送するリバースローラ４及び給紙ベルト５と、リバースローラ４及び給紙ベルト５から送り出された原稿を検知する分離センサ２３とを有している。
【００２０】
図２に示すように、リバースローラ４は給紙入口下ガイド５９に取り付けられており、給紙入口下ガイド５９は給紙入口下ガイド取付軸５９ａを中心に搬送フレーム５０に対して開放可能になっている。尚、リバースローラ４は伝達ギヤ３３に噛み合っており、伝達ギヤ３３は搬送フレーム５０の内側に配置された駆動ギヤ３５に噛み合っている。駆動部から駆動ギヤ３５に伝達された駆動は伝達ギヤ３３を介してリバースローラ４に伝達される。給紙入口下ガイド５９の開閉時には、図２中符号３４で示す部分において、駆動ギヤ３５と伝達ギヤ３３とが連結及び解除されるようになっている。
【００２１】
レジスト部Ｃは、分離給送部Ｂから搬送された原稿をターン部Ｄに向けて搬送するプルアウトローラ（シート材搬送手段）６、７と、このプルアウトローラ６、７に向けて搬送される原稿を検知する突き当てセンサ、原稿の幅方向長さを検知する原稿幅センサを有している。
【００２２】
プルアウトローラ６、７の駆動ローラ（他方のローラ）６は、搬送装置本体７０ａに取り付けられており、従動ローラ（一方のローラ）７はカバー体７０ｂに設けられている。カバー体７０ｂの給紙上ガイド（案内板）５２には従動ローラ７を駆動ローラ６側に向けて加圧する加圧手段６０を設けている。
【００２３】
加圧手段６０は縦断面視略コ字状の支持ブラケット６４と、支持ブラケット６４の下端部に形成されたフランジ部６４ａと備え、フランジ部６４ａが給紙上ガイド（案内板）５２の上面に固定されている。支持ブラケット（支持手段）６４の天井壁には２本の圧縮スプリング６１、６１が固定されており、圧縮スプリング６１、６１の下端に設けられた軸受ホルダ７ａ、７ａ内に従動ローラ７のローラ軸が回転自在に支持されている。そして、圧縮スプリング６１、６１の加圧力により従動ローラ７を駆動ローラ６に圧接して、分離部の搬送抵抗以上の強い搬送力を得ている。駆動ローラ６は、その軸６ａの両端を搬送フレーム５０に軸受け６ｂを介して支持されている。
【００２４】
カバー体７０ｂの外部に露出する外装カバー（外装板）５１の側部には回動自在な鍵状のフック部６３が設けられており、搬送装置本体７０ａの搬送フレーム５０から内側に向かって突設する係止部６２にフック部６３の被係合部６３ａを引っ掛けてカバー体７０ｂを閉じている。
【００２５】
次に、外装カバー５１と給紙上ガイド（案内板）５２との間に設けられたたわみ防止手段（カバー側リブ５１ａ、ガイド側リブ５２ａ）について説明する。外装カバー５１には給紙上ガイド５２に向けてカバー側リブ（第１突起部材）５１ａが突設して形成されている。カバー側リブ５１ａは給紙上ガイド５２と一体成形されており、カバー側リブ５１ａは原稿幅方向の従動ローラ７を挟んだ位置にそれぞれ形成されている。カバー側リブ５１ａは搬送方向に沿って連続して形成されており、カバー側リブ５１ａの搬送方向の長さは従動ローラ７のローラ径よりも長く設けられている。
【００２６】
給紙上ガイド５２には外装カバー５１側に向けてガイド側リブ（第２突起部材）５２ａを給紙上ガイド５２の上面から突設して設けており、縦断面台形状で且つガイド側リブ５２ａと給紙上ガイド５２とは一体成形である。ガイド側リブ５２ａは従動ローラ７の軸方向と略平行に形成されており、原稿幅方向に沿って連続して形成されている。ガイド側リブ５２ａは、従動ローラ７の搬送方向上流側位置と搬送方向下流側位置との２箇所にそれぞれ形成されている。ガイド側リブ５２ａの上端にカバー側リブ５１ａの下端が当接している（図１中５２ｂで示す）。
【００２７】
ターン部Ｄは、読取入口センサ２６と、原稿読取位置２８の搬送方向上流側における近傍に位置し、レジスト部Ｃから搬送された原稿を原稿読取位置２８に向けて搬送する読取入口ローラ８、９と、読取入口ローラ８、９から搬送される原稿を検知するレジストセンサ２７とを備えている。
【００２８】
読取搬送部Ｅは、読取ガラス４１と、搬送方向下流側における原稿読取位置２８の近傍に位置し、原稿読取位置２８を通過した原稿を反転排紙部Ｇ及びスタック部Ｆに向けて搬送する読取出口ローラ１０、１１と、読取出口ローラ１０、１１を通過した原稿を検知する排紙センサ２９と、読取の終了した原稿に対して読取終了印を押印する済みスタンプ部４６を有している。
【００２９】
スタック部Ｆは、排紙ローラ１２及び排紙下従動ローラ１３から排紙された原稿がスタックされる排紙トレイ１４を備えている。
【００３０】
反転排紙部Ｇは、読取出口ローラ１０、１１から搬送された原稿の搬送先を反転経路又はスイッチバック経路の何れかに振り分ける分岐爪１５と、この分岐爪１５によりスイッチバック経路に搬送された原稿をスイッチバックさせる反転ローラ対１６、１７と、反転ローラ対１６、１７の近傍位置に設けた反転センサ３０と、排紙ローラ１２、排紙下従動ローラ１３、排紙上従動ローラ１８とを有している。
【００３１】
図５に示すように画像形成装置８０は、装置本体の上部に設けた画像読取装置７５と、装置本体に設けられた給紙部８１、感光体（像担持体）８５表面にトナー像を形成する画像形成部８２と、転写材に転写されたトナー像を定着させる定着部８３等を備えている。そして、自動原稿搬送装置７０における原稿セットテーブル１から搬送されてくる原稿を原稿読取部８４で読取って、感光体８５に静電潜像を形成し、現像装置８６で現像した後、給紙部８１から給紙された転写材に対して画像形成を行い、定着部８３で未定着トナーを定着させて、定着させた転写材を機外に排出している。
【００３２】
次に、本発明の実施形態における原稿搬送装置の作用及び効果について説明する。原稿セットテーブル１にセットされた原稿束Ｐは、リバースローラ４及び給紙ベルト５にて上から分離して１枚ずつ搬送される。搬送された原稿は読取入口ローラ８、９を通過し原稿読取位置２８において原稿の読取が行われる。
【００３３】
読取を終えた原稿は、読取出口ローラ１０、１１及び排紙ローラ対１２、１３を経て、排紙トレイ１４に排紙、スタックされる。裏面の原稿を読む場合は、切替爪１５が下降して反転ローラ対１６、１７によりスイッチバックし、スイッチバック経路を通過してプルアウトローラ対６、７に達し、原稿表面と同様の読取動作を行ったあと、ページ整合のため、もう一度切替爪１５が降下してスイッチバック動作を行い、（今度は露光されないまま）排紙ローラ対１２、１３を経て排紙トレイ１４に排紙、スタックされる。
【００３４】
カバー体７０ｂを閉じた状態からカバー体７０ｂを開く場合には、フック部６３を回動させて係止部６２との係止状態を外し、カバー体７０ｂを上方に持ち上げてカバー体７０ｂを開く。一方、カバー体７０ｂを開いた状態からカバー体７０ｂを閉じる場合には、カバー体７０ｂを下げると共に、圧縮スプリング６１の付勢力に抗して更に下方に押し下げ、押し下げた状態のままフック部６３を係止部６２に引っ掛けてカバー体７０ｂを閉じる。
【００３５】
本実施の形態では、カバー体７０ｂの外装カバー５１と給紙上ガイド５２との間に給紙上ガイド５２のたわみを防止するたわみ防止手段（カバー側リブ５１ａ、ガイド側リブ５２ａ）を備えているので、プルアウトローラ６、７の従動ローラ７が駆動ローラ６から加圧力の反力を受けた場合でも、加圧力の反力をカバー側リブ５１ａ、ガイド側リブ５２ａ及び外装カバー５１で受けることができ、支持ブラケット６４が取り付けられた給紙上ガイド（案内板）５２にかかる反力が小さくなり、給紙上ガイド５２が上方にたわむのを防止できる。
【００３６】
カバー側リブ５１ａは外装カバー５１の原稿幅方向における２箇所に形成されているので、駆動ローラ６から受ける加圧力の反力をそれぞれのリブに分散させることができ、リブの破損を防止できる。
【００３７】
カバー側リブ５１ａは外装カバー５１における原稿幅方向の従動ローラ７を挟んだ位置に形成されているので、駆動ローラ６からの加圧力の反力を作用点近くで受けることができ、カバー側リブ５１ａで反力を充分受けることができ、給紙上ガイド５２が受ける反力を抑えることができる。
【００３８】
カバー側リブ５１ａは外装カバー５１と一体成形なので、部品点数の省略化及び取り付け作業の軽減を図ることができる。
【００３９】
ガイド側リブ５２ａは従動ローラ７の搬送方向上流側位置と搬送方向下流側位置との２箇所に形成されているので、駆動ローラ６から受ける加圧力の反力をそれぞれのリブ５２ａに分散させることができ、給紙上ガイド５２が受ける反力を抑えることができる。
【００４０】
ガイド側リブ５２ａは原稿幅方向に沿って形成されているので、給紙上ガイド５２の厚みが増して、曲げ剛性が大きくなり、給紙上ガイド５２がたわむのを更に防止できる。
【００４１】
ガイド側リブ５２ａは給紙上ガイド５２と一体成形なので、部品点数の省略化及び取り付け作業の軽減を図ることができる。
【００４２】
なお、本発明は、前述した実施形態に限定されることなく、その要旨を逸脱しない範囲で種々変形して実施できることは言うまでもない。
【００４３】
上述の実施形態において、カバー側リブ５１ａは外装カバー５１に２箇所に形成したが、これに限定されず、１箇所または３箇所以上に設けて良い。
【００４４】
上述の実施形態において、給紙上ガイド５２にガイド側リブ５２ａを形成しているが、これに限定されず、ガイド側リブ５２ａを形成せずに、カバー側リブ５１ａの下端部を直接、給紙上ガイド５２に当接させても良い。
【００４５】
カバー側リブ５１ａは搬送方向に沿って連続して設けているが、これに限定されず、カバー側リブ５１ａは搬送方向に沿って間隔を開けて複数設けてあっても良い。
【００４６】
ガイド側リブ５２ａは原稿幅方向に沿って連続して設けているが、これに限定されず、ガイド側リブ５２ａは原稿幅方向に沿って間隔を開けて複数設けてあっても良い。
【００４７】
カバー側リブ５１ａは、外装カバー５１に一体成形してあるが、これに限定されず、後付けによってカバー側リブ５１ａを外装カバー５１に取り付けても良い。
【００４８】
ガイド側リブ５２ａは、給紙上ガイド５２に一体成形してあるが、これに限定されず、後付けによってガイド側リブ５２ａを給紙上ガイド５２に取り付けても良い。
【図面の簡単な説明】
【００４９】
【図１】図４に示す自動原稿搬送装置のプルアウトローラ周辺の縦断面図である。
【図２】図４に示す自動原稿搬送装置のリバースコロ周辺を示す横断面図である。
【図３】本実施の形態に係る自動原稿搬送装置のカバー体を開いて示す全体概略図である。
【図４】本実施の形態に係る自動原稿搬送装置のカバー体を閉じて示す全体概略図である。
【図５】自動原稿搬送装置を搭載した画像形成装置の概略図である。
【図６】従来例に係る自動原稿搬送装置のプルアウトローラ周辺の縦断面図である。
【図７】従来例に係る自動原稿搬送装置の全体概略図である。
【符号の説明】
【００５０】
６            プルアウトローラの従動ローラ（一方のローラ）
７            プルアウトローラの駆動ローラ（他方のローラ）
５１          外装カバー（外装板）
５１ａ        カバー側リブ（第１突設部材）
５２          給紙上ガイド（案内板）
５２ａ        ガイド側リブ（第２突設部材）
６０          加圧手段
６４          支持ブラケット（支持手段）
７０          自動原稿搬送装置（シート材搬送装置）
７０ａ        カバー体
７０ｂ        搬送装置本体
７５          画像読取装置
８０          画像形成装置
【図１】
2007308249.tif 000003
【図２】
2007308249.tif 000004
【図３】
2007308249.tif 000005
【図４】
2007308249.tif 000006
【図５】
2007308249.tif 000007
【図６】
2007308249.tif 000008
【図７】
2007308249.tif 000009